【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
複数の構内交換機から送信されてくる通話料金データを蓄積した後、蓄積データの中から指定期間内の通話料金データを通話終了時刻について時系列に出力する処理を行う通話料金管理装置において、
前記データを蓄積するファイルと、
各構内交換機から送られてきたデータを送られて来た順番で前記ファイルに格納する蓄積手段と、
前記ファイルの各構内交換機のデータの中で、指定期間内の最も古いデータを開始データとし、最も新しいデータを終了データとして、各構内交換機のデータ毎に求める開始終了データ検索手段と、
前記ファイルからデータを蓄積順に読み出す読出手段と、
この読出手段により読み出されたデータを送ってきた構内交換機の開始データと終了データのこれらデータを含めた間にあるかどうかを判定する判定手段と、  この判定手段により前記開始データと終了データの間にあると判定されたデータについてのみ、読み出した順番に出力する出力手段とを具備したことを特徴とする通話料金管理装置。
【請求項２】
前記読出手段は、前記各構内交換機のデータ毎に求まった開始データの中で、最も古いものを前記ファイルの蓄積順より決定し、前記各構内交換機のデータ毎に求まった終了データの中で、最も新しいものを前記ファイルの蓄積順より決定し、決定された開始データと終了データの範囲のデータを前記ファイルから読み出すことを特徴とする請求項１記載の通話料金管理装置。
【請求項３】
複数の構内交換機から送信されてくる通話料金データを蓄積した後、蓄積データの中から指定期間内の通話料金データを通話開始時刻について時系列に出力する処理を行う通話料金管理装置において、
前記データを蓄積するファイルと、
各構内交換機から送られる通話開始情報の送られてきた順番に予め前記ファイルに蓄積し、通話終了後改めて各構内交換機から送られるデータから通話料金を計算し、これを前記ファイルの該当レコードに上書きする蓄積手段と、
前記ファイルの各構内交換機のデータの中で、指定期間内の最も古い通話開始時刻のデータを開始データとし、最も新しい通話開始時刻のデータを終了データとして、各構内交換機のデータ毎に求める開始終了データ検索手段と、
前記ファイルからデータを蓄積順に読み出す読出手段と、
この読出手段により読み出されたデータを送ってきた構内交換機の開始データと終了データのこれらデータを含めた間にあるかどうかを判定する判定手段と、  この判定手段により前記開始データと終了データの間にあると判定されたデータについてのみ、読み出した順番に出力する出力手段とを具備したことを特徴とする通話料金管理装置。
【請求項４】
複数の構内交換機から送信されてくる通話料金データを蓄積した後、蓄積データの中から指定期間内の通話料金データを通話終了時刻について時系列に出力する処理を行う通話料金管理装置において、
前記データを蓄積するファイルと、
特定の電話端末からの通話料金は蓄積しないとの条件を与えている時に、各構内交換機から送られてきたデータを送られてきた順番で、前記条件に合致しないもののみを前記ファイルに格納する蓄積手段と、
前記ファイルの各構内交換機のデータの中で、指定期間内の最も古いデータを開始データとし、最も新しいデータを終了データとして、各構内交換機のデータ毎に求める開始終了データ検索手段と、
前記ファイルからデータを蓄積順に読み出す読出手段と、
この読出手段により読み出されたデータを送ってきた構内交換機の開始データと終了データのこれらデータを含めた間にあるかどうかを判定する判定手段と、  この判定手段により前記開始データと終了データの間にあると判定されたデータについてのみ、読み出した順番に出力する出力手段とを具備したことを特徴とする通話料金管理装置。
【請求項５】
複数の構内交換機から送信されてくる通話料金データを蓄積した後、蓄積データの中から指定期間内の通話料金データを通話開始時刻について時系列に出力する処理を行う通話料金管理装置において、
前記データを蓄積するファイルと、
特定の電話端末からの通話料金は蓄積しないとの条件を与えている時に、各構内交換機から送られてきたデータを送られてきた順番で、前記条件に合致しないもののみを前記ファイルに格納する蓄積手段と、
前記ファイルの各構内交換機のデータの中で、指定期間内の最も古い通話開始時刻のデータを開始データとし、最も新しい通話開始時刻のデータを終了データとして、各構内交換機のデータ毎に求める開始終了データ検索手段と、
前記ファイルからデータを蓄積順に読み出す読出手段と、
この読出手段により読み出されたデータを送ってきた構内交換機の開始データと終了データのこれらデータを含めた間にあるかどうかを判定する判定手段と、  この判定手段により前記開始データと終了データの間にあると判定されたデータについてのみ、読み出した順番に出力する出力手段とを具備したことを特徴とする通話料金管理装置。
【手続補正２】
【補正対象書類名】明細書
【補正対象項目名】０００９
【補正方法】変更
【補正の内容】
【０００９】
【課題を解決するための手段】
請求項１の発明は、複数の構内交換機から送信されてくる通話料金データを蓄積した後、蓄積データの中から指定期間内の通話料金データを通話終了時刻について時系列に出力する処理を行う通話料金管理装置において、前記データを蓄積するファイルと、各構内交換機から送られてきたデータを送られて来た順番で前記ファイルに格納する蓄積手段と、前記ファイルの各構内交換機のデータの中で、指定期間内の最も古いデータを開始データとし、最も新しいデータを終了データとして、各構内交換機のデータ毎に求める開始終了データ検索手段と、前記ファイルからデータを蓄積順に読み出す読出手段と、この読出手段により読み出されたデータを送ってきた構内交換機の開始データと終了データのこれらデータを含めた間にあるかどうかを判定する判定手段と、この判定手段により前記開始データと終了データの間にあると判定されたデータについてのみ、読み出した順番に出力する出力手段とを備えた構成を有している。


【手続補正３】
【補正対象書類名】明細書
【補正対象項目名】００１３
【補正方法】変更
【補正の内容】
【００１３】
請求項３の発明は、複数の構内交換機から送信されてくる通話料金データを蓄積した後、蓄積データの中から指定期間内の通話料金データを通話開始時刻について時系列に出力する処理を行う通話料金管理装置において、前記データを蓄積するファイルと、各構内交換機から送られる通話開始情報の送られてきた順番に予め前記ファイルに蓄積し、通話終了後改めて各構内交換機から送られるデータから通話料金を計算し、これを前記ファイルの該当レコードに上書きする蓄積手段と、前記ファイルの各構内交換機のデータの中で、指定期間内の最も古い通話開始時刻のデータを開始データとし、最も新しい通話開始時刻のデータを終了データとして、各構内交換機のデータ毎に求める開始終了データ検索手段と、前記ファイルからデータを蓄積順に読み出す読出手段と、この読出手段により読み出されたデータを送ってきた構内交換機の開始データと終了データのこれらデータを含めた間にあるかどうかを判定する判定手段と、この判定手段により前記開始データと終了データの間にあると判定されたデータについてのみ、読み出した順番に出力する出力手段とを具備した構成を備えている。


【手続補正４】
【補正対象書類名】明細書
【補正対象項目名】００１５
【補正方法】変更
【補正の内容】
【００１５】
請求項４の発明は、複数の構内交換機から送信されてくる通話料金データを蓄積した後、蓄積データの中から指定期間内の通話料金データを通話終了時刻について時系列に出力する処理を行う通話料金管理装置において、前記データを蓄積するファイルと、特定の電話端末からの通話料金は蓄積しないとの条件を与えている時に、各構内交換機から送られてきたデータを送られてきた順番で、前記条件に合致しないもののみを前記ファイルに格納する蓄積手段と、前記ファイルの各構内交換機のデータの中で、指定期間内の最も古いデータを開始データとし、最も新しいデータを終了データとして、各構内交換機のデータ毎に求める開始終了データ検索手段と、前記ファイルからデータを蓄積順に読み出す読出手段と、この読出手段により読み出されたデータを送ってきた構内交換機の開始データと終了データのこれらデータを含めた間にあるかどうかを判定する判定手段と、この判定手段により前記開始データと終了データの間にあると判定されたデータについてのみ、読み出した順番に出力する出力手段とを具備した構成を備えている。


【手続補正５】
【補正対象書類名】明細書
【補正対象項目名】００１７
【補正方法】変更
【補正の内容】
【００１７】
請求項５の発明は、複数の構内交換機から送信されてくる通話料金データを蓄積した後、蓄積データの中から指定期間内の通話料金データを通話開始時刻について時系列に出力する処理を行う通話料金管理装置において、前記データを蓄積するファイルと、特定の電話端末からの通話料金は蓄積しないとの条件を与えている時に、各構内交換機から送られてきたデータを送られてきた順番で、前記条件に合致しないもののみを前記ファイルに格納する蓄積手段と、前記ファイルの各構内交換機のデータの中で、指定期間内の最も古い通話開始時刻のデータを開始データとし、最も新しい通話開始時刻のデータを終了データとして、各構内交換機のデータ毎に求める開始終了データ検索手段と、前記ファイルからデータを蓄積順に読み出す読出手段と、この読出手段により読み出されたデータを送ってきた構内交換機の開始データと終了データのこれらデータを含めた間にあるかどうかを判定する判定手段と、この判定手段により前記開始データと終了データの間にあると判定されたデータについてのみ、読み出した順番に出力する出力手段とを具備した構成を備えている。